(57)【特許請求の範囲】
【請求項１】
水底である地盤上に設置する既設堤体に撤去可能に設置するパネル支持体と、該パネル支持体により支持されて前記既設堤体のケーソン及び地盤の損壊部位を覆う状態で配設され、前記ケーソン及び地盤との間に充填空間を形成する補修用パネルと、該補修用パネルを前記ケーソンに固定するモルタル製固定ボルトと、前記充填空間に打設することにより前記損壊部位に充填するモルタルとから構成し、該モルタルが固化した後前記パネル支持体は撤去するようにしてなる既設堤体補修用構造物。
【請求項２】
前記パネル支持体は、前記既設堤体の前側に位置する縦支柱と、該既設堤体の後面に位置して前後方向に進退可能な係止体とにより既設堤体の上部側を挟持する構成にしてあることを特徴とする請求項１記載の既設堤体補修用構造物。
【請求項３】
水底である地盤上に設置した既設堤体の補修方法であって、該既設堤体にパネル支持体を撤去可能に設置し、該パネル支持体で支持することにより、前記既設堤体のケーソン及び地盤の損壊部位を覆う状態で補修用パネルを配設し、該補修用パネルはモルタル製固定ボルトにより前記ケーソンに固定し、該補修用パネルと前記ケーソン及び地盤との間に形成される充填空間にモルタルを打設して前記損壊部位に充填し、該モルタルが固化した後前記パネル支持体を撤去するようにしてなる既設堤体の補修方法。
【請求項４】
パネル支持体は、前記既設堤体の前側に位置する縦支柱と、該既設堤体の後面に位置して前後方向に進退可能な係止体とにより既設堤体の上部側を挟持する構成にしてあることを特徴とする請求項３記載の既設堤体の補修方法。
【発明の詳細な説明】
【技術分野】
【０００１】
本発明は、岸壁、防波堤、ダムの突堤等のコンクリート製既設堤体のケーソン及び地盤が潮流、氷塊等によって損壊した場合に損壊部位を補修するための既設堤体補修用構造物及び既設堤体の補修方法に関する。
【背景技術】
【０００２】
例えば、港湾に設置する防波堤は、海水により鉄筋が発錆する悪影響を考慮して鉄筋を使用しないでコンクリートだけで成形しており、地盤上にケーソンを設置し、その上に堤体本体を形成して構成し、防波堤としての安定性はその重量で担っている。ところで、コンクリート製防波堤は潮流により、或いは氷塊や転石の衝突によって次第に損壊するものである。また地盤が砂地、岩盤、砂礫等の地質の相違によって潮流等によって受ける影響も大きく異なり、ケーソンが損壊するだけでなく、地盤が浸蝕により抉られることで防波堤としての安定性や強度性が損なわれるという問題も生じる。
【先行技術文献】
【特許文献】
【０００３】
【特許文献１】見出せず。
【発明の概要】
【発明が解決しようとする課題】
【０００４】
防波堤のケーソンが損壊し、或いは地盤が抉られた場合に、早期にこれを補修することは極めて重要であるが、補修方法についての技術的な提案はされていない。また、防波堤を新たに構築する対応もあるが、多額の費用と工事に長期間を要するという問題、工事期間中は港湾を利用する船舶の交通障害になるという問題があることから現実的な対応でない。
【０００５】
本発明は上述した従来技術の未解決の問題点に鑑みなされたもので、工事中に受ける流水力や波力の影響を最小限にすると共に、少ない工事費と短い工期で既設堤体及び地盤の補修を可能にすることにより、安定性と強度性のある既設堤体に再生することが出来る既設堤体補修用構造物及び既設堤体の補修方法を提供することを目的とする。
【課題を解決するための手段】
【０００６】
上述した課題を解決するために構成した請求項１に係る発明は、水底である地盤上に設置する既設堤体に撤去可能に設置するパネル支持体と、該パネル支持体により支持されて前記ケーソン及び地盤の損壊部位を覆う状態で配設され、前記ケーソン及び地盤との間に充填空間を形成する補修用パネルと、該補修用パネルを前記ケーソンに固定するモルタル製固定ボルトと、前記充填空間に打設することにより前記損壊部位に充填するモルタルとから構成し、該モルタルが固化した後前記パネル支持体は撤去するようにしてなる。
【０００７】
前記パネル支持体は、前記既設堤体の前側に位置する縦支柱と、該既設堤体の後面に位置して前後方向に進退可能な係止体とにより既設堤体の上部側を挟持する構成にするとよい。
【０００８】
また、請求項３に係る発明を構成する手段は、水底である地盤上に設置した既設堤体の補修方法であって、該既設堤体にパネル支持体を撤去可能に設置し、該パネル支持体で支持することにより、前記既設堤体のケーソン及び地盤の損壊部位を覆う状態で補修用パネルを配設し、該補修用パネルはモルタル製固定ボルトにより前記ケーソンに固定し、該補修用パネルと前記ケーソン及び地盤との間に形成される充填空間にモルタルを打設して前記損壊部位に充填し、該モルタルが固化した後前記パネル支持体を撤去するようにしたことにある。
【０００９】
前記パネル支持体は、前記既設堤体の前側に位置する縦支柱と、該既設堤体の後面に位置して前後方向に進退可能な係止体とにより既設堤体の上部側を挟持する構成にするとよい。
【発明の効果】
【００１０】
本発明は上述の如く構成したから、下記の諸効果を奏する。
（１）既設堤体のケーソン及びケーソンを支持する地盤の損壊部位にモルタルを充填して補修することにより、経年劣化により耐久性、強度性、安定性の低下が問題になっている既設堤体を再生することができる。
（２）既設堤体に撤去可能に設置したパネル支持体で支持する補修用パネルによりケーソン及び地盤の損壊部位を覆い、補修用パネルとケーソン及び地盤との間の充填空間にモルタルを充填して損壊部位を補修するようにしたので、簡単な工事で短期間に施工できるので港湾や河岸の利用を妨げることがないし、工事費も極めて低廉である。
（３）パネル支持体は、既設堤体の前側に位置する縦支柱と、既設堤体の後面に位置して前後方向に進退可能な係止体とにより既設堤体の上部側を挟持する構成にしたから、パネル支持体の既設堤体への取り付けを容易に、かつ簡単に行うことが出来るし、補修工事終了後の撤去作業も速やかに行うことができる。
（４）補修用パネルは、モルタル製固定ボルトによってケーソンに固着するようにしたから、金属製ボルトによる発錆の問題がないので耐久性に優れた堤体に再生できる。
【図面の簡単な説明】
【００１１】
【図１】図１乃至図７は本発明の第１の実施の形態に係り、図１は防波堤及び地盤の損壊状態の説明図である。
【図２】防波堤に設置した防波堤補修用構造物の外観斜視図である。
【図３】図２の側面図である。
【図４】補修用パネル及びボルトの外観斜視図である。
【図５】図２中のＶ−Ｖ矢示方向拡大断面図である。
【図６】充填空間にモルタルを打設した説明図である。
【図７】補修完了後の防波堤の斜視図である。
【図８】第２の実施の形態に係る防波堤補修用構造物の一部を破断して示す外観斜視図である。
【発明を実施するための形態】
【００１２】
以下、本発明の実施の形態を図面に基づき詳述する。図１乃至図７は第１の実施の形態を示す。図１において、５１は本実施の形態において補修対象となる防波堤を示し、該防波堤５１は鉄筋を使用しないコンクリート製重量型のもので、コンクリート製の立方体からなるケーソン５２と、該ケーソン５２の上に形成した略台形状の堤体部５３とから構成してあり、水底である地盤５４を掘削してケーソン５２を設置してある。そして、潮流による浸蝕や波力によってケーソン５２は下部側に損壊部５２Ａが形成され、地盤５４には浸蝕部５４Ａが次第に形成されるが、これら損壊部５２Ａや浸蝕部５４Ａ（以下、場合により損壊部位と総称する。）が拡大するのを放置すると防波堤５１の安定性を欠く危険性が増大することからその補修が必要である。
【００１３】
１は前記ケーソン５２に形成された損壊部５２Ａ及び地盤５４の浸蝕部５４Ａを補修するために用いるパネル支持体を示す。該パネル支持体１は鋼材からなる一対の縦支柱１Ａ、１Ａと、該縦支柱１Ａ、１Ａの下端に架設して強度性を持たせる下連結材１Ｂと、縦支柱１Ａ、１Ａの上端側に架設して強度性を持たせると共に、堤体部５３と縦支柱１Ａとの間にスペースを保持する上連結材１Ｃと、各縦支柱１Ａの上端側に固着して後方に突設した張出支持材１Ｄと、該各張出支持材１Ｄを直角に支持する直角三角形の補強板１Ｅと、張出支柱材１Ｄ、１Ｄの後端側に矢示イ、ロ方向の前後方向に進退可能に設けた係止体１Ｆと、該係止体１Ｆを張出支持材１Ｄの所望位置に係止する蝶ボルト１Ｇと、係止体１Ｆの下端に枢支され、堤体部５３の後面５３Ａに圧接する係止片１Ｈとから構成してある。
【００１４】
２は前記パネル支持体１に支持され、ケーソン５２の損壊部５２Ａ及び地盤５４の浸蝕部５４Ａを一体的に覆うコンクリート製の補修用パネルを示す。該補修用パネル２は縦長の覆い板部２Ａと、該覆い板部２Ａの横幅両端側から後方に突出させた縁板部２Ｂ、２Ｂと、覆い板部２Ａに左右及び上下方向の位置に離間して形成した４個のボルト孔２Ｃとから横断面略扁平凵字状に構成してあり、ケーソン５２及び地盤５４との間にモルタルの充填空間３を形成するようになっている。
【００１５】
４、４、・・はモルタル製の固定ボルトで、該各固定ボルト４は補修用パネル２に挿通してケーソン５２に螺挿することにより、補修用パネル２をケーソン５２に固定するものである。５は補修用パネル２とケーソン５２との間の充填空間３に上方から加圧充填する水中不分離性モルタルで、該モルタル５はケーソン５２の欠損部５２Ａから地盤５４の浸蝕部５４Ａにかけて密に充填した状態にしてある。
【００１６】
本実施の形態は上述の構成からなり、次に補修用構造物を用いた補修工程について説明する。先ず、ケーソン５２及び地盤５４の損壊状態を確認し、補修用パネル２の割付図を作成して必要な枚数の補修用パネル２を作成する。また、ケーソン５２の損壊部５２Ａ及びその周囲から海藻や貝等を除去する洗浄を行い、地盤５４の堆積砂等の流動性土砂を除去して岩盤を露出させる。
【００１７】
以上の準備が完了したら、ケーソン５２の損壊部５２Ａの位置に対応させて堤体部５３に上方からパネル支持体１を嵌合して設置し、損壊部位（５２Ａ、５４Ａ）を覆うように補修用パネル２を配置して縦支柱１Ａ、１Ａで押える。この時、補修用パネル２は下端が地盤５４に当接する状態にして確実に浸蝕部５４Ａを覆うようにし、パネル支持体１の係止体１Ｆを前後方向に位置調整して係止片１Ｈを堤体部５３に当接して蝶ボルト１Ｇを締めることにより、補修用パネル２を縦支柱１Ａ、１Ａでケーソン５２側に確実に抑え込んだ状態にする。しかる後、補修用パネル２の各ボルト孔２Ｃに対応してケーソン５２にドリルでボルト挿入孔を穿設し、ボルト挿入孔に水中不分離性モルタル５を注入して固定ボルト４を補修用パネル２からケーソン５２に螺入することにより、補修用パネル２をケーソン５２に固定する。
【００１８】
これにより補修用パネル２とケーソン５２との間に充填空間３を形成し、この充填空間３に水中不分離性モルタル５を加圧充填してケーソン５２の損壊部５２Ａから地盤５４の浸蝕部５４Ａにまで充填する。充填した水中不分離性モルタル５が硬化したら、蝶ボルト１Ｇを緩めて係止体１Ｆを後退させ、パネル支持体１を堤体部５３から撤去する。このようにして、損壊部位（５２Ａ、５４Ａ）を補修用パネル２と水中不分離性モルタル５によって短期間に比較的簡単な作業により既設防波堤５１を確実に補修し、再生することができる。
【００１９】
なお、補修用パネル２の覆い板部２Ａは平坦な形状にしたが、ケーソン５２の前面側が段付き面である場合には、この形状に合わせて段付き面の形状にしてもよいものである。
【００２０】
また、本実施の形態では補修用パネル２が１枚であるので、１組のパネル支持体１を用いたが、複数枚の補修用パネル２を支持する場合は複数組のパネル支持体１を用いる。
【００２１】
図８は第２の実施の形態を示す。なお、本実施の形態において第１の実施の形態の構成要素と同一の構成要素には同一の符号を付して援用し、その説明を省略する。本実施の形態の特徴は、既設防波堤５５のケーソン５６に前面５６Ａから角隅５６Ｂにかけて形成された損壊部５６Ｃ及び地盤５４の浸蝕部５４Ａを補修するために用いる補修用パネル１１に関する。
【００２２】
該補修用パネル１１は縦長の前面部１１Ａと、該前面部１１Ａの幅方向一側から略Ｌ字状に屈曲した側面部１１Ｂと、前面部１１Ａの幅方向他側端から後方に突出させた一側縁板部１１Ｃと、側面部１１Ｂの他端から後方に突出させた他側縁板部１１Ｄとからなり、平面視で略Ｌ字状をなしている。なお、５７は既設防波堤５５を構成する堤体部である。
【００２３】
上述の構成からなる補修用パネル１１をケーソン５６の損壊部５６Ｃ及び地盤５４の浸蝕部５４Ａを覆うように配置し、１乃至複数組のパネル支持体１の縦支柱１Ａ、１Ａによって補修用パネル１１を押え、固定ボルト４でケーソン５６に固定する。そして、補修用パネル１１とケーソン５６及び地盤５４との間に形成される充填空間１２に水中不分離性モルタル５（図示せず。）を加圧充填する。これらの工程は第１の実施の形態と基本的に同じである。
【００２４】
本実施の形態によれば、防波堤５５のケーソン５６の前面５６Ａから角隅５６Ｂにかけて形成された損壊部５６Ｃ及び地盤５４に形成された浸蝕部５４Ａを容易に、かつ確実に補修して既設防波堤を再生することができる。
【符号の説明】
【００２５】
１        パネル支持体
１Ｆ      係止体
２、１１    補修用パネル
３、１２    充填空間
４        固定ボルト
５        水中不分離性モルタル
５１、５５      防波堤
５２、５６      ケーソン
５２Ａ、５６Ｃ  損壊部
５３、５７      堤体部
５４      地盤
５４Ａ    浸蝕部
【図１】
0006501547.tif 000002
【図２】
0006501547.tif 000003
【図３】
0006501547.tif 000004
【図４】
0006501547.tif 000005
【図５】
0006501547.tif 000006
【図６】
0006501547.tif 000007
【図７】
0006501547.tif 000008
【図８】
0006501547.tif 000009